(57)【要約】【課題】消費電力を抑え、効率良く被冷却対象物を冷却できる画像投影装置を提供する。【解決手段】冷却風を送風口から被冷却対象物に当てることにより被冷却対象物を冷却する吸気ファン１１と、送風口の開口率を可変とする調整弁１２ｂと、被冷却対象物の温度を検出する温度センサ１４と、温度センサ１４に検出された温度に基づいて、被冷却対象物を冷却するために予め設定された回転数となるように吸気ファン１１を制御するファン制御手段（ＣＰＵ１５１，吸気ファン制御プログラム１５３Ｃ）と、吸気ファン１１の回転数に基づいて、送風口から送風される冷却風の流速が予め設定された流速となるように調整弁１２ｂを制御して開口率を調整する開口率制御手段（ＣＰＵ１５１，調整弁制御プログラム１５３Ｅ）と、を備えた。【選択図】図３
2007178626.tif 000002
【特許請求の範囲】
【請求項１】
吸気口から吸気を行うことにより冷却風を発生させ、当該冷却風を送風口から被冷却対象物に当てることにより前記被冷却対象物を冷却する軸流ファンと、
前記送風口にヒンジを介して接続され、前記ヒンジを中心に回動する調整弁の回動角度により前記送風口の開口率を可変とする開口可変機構部と、
前記軸流ファンの回転数に基づいて、前記送風口から送風される冷却風の流速が予め設定された流速となるように前記開口可変機構部を制御して前記開口率を調整する開口率制御手段と、
前記被冷却対象物の温度を検出する温度検出部と、
前記温度検出部に検出された温度に基づいて、前記被冷却対象物を冷却するために予め設定された前記軸流ファンの回転数となるように前記軸流ファンを制御するファン制御手段と、
前記被冷却対象物の温度と、前記被冷却対象物を冷却するために予め設定された前記軸流ファンの回転数とを対応づけて記憶する第１の記憶手段と、
前記軸流ファンの回転数と、前記軸流ファンの回転数における前記送風口の開口率とを対応づけて記憶する第２の記憶手段と、を備え、
前記ファン制御手段は、前記温度検出部により検出された温度に基づいて前記第１の記憶手段から回転数を抽出し、抽出した回転数に基づいて前記軸流ファンの回転を制御し、
前記開口率制御手段は、前記ファン制御手段により、前記第１の記憶手段から抽出された回転数に基づいて前記第２の記憶手段から開口率を抽出し、抽出した開口率に基づいて前記開口可変機構部を制御し、
前記調整弁は、当該画像投影装置の上下方向に前記ヒンジを中心に回動し、
被冷却対象物が当該画像投影装置の本体部の上段部若しくは下段部に配置されていることを特徴とする画像投影装置。
【請求項２】
吸気口から吸気を行うことにより冷却風を発生させ、当該冷却風を送風口から被冷却対象物に当てることにより前記被冷却対象物を冷却する吸気ファンと、
前記送風口の開口率を可変自在とする開口可変機構部と、
前記吸気ファンの回転数に基づいて、前記送風口から送風される冷却風の流速が予め設定された流速となるように前記開口可変機構部を制御して前記開口率を調整する開口率制御手段と、
を備えることを特徴とする画像投影装置。
【請求項３】
前記被冷却対象物の温度を検出する温度検出部と、
前記温度検出部に検出された温度に基づいて、前記被冷却対象物を冷却するために予め設定された前記吸気ファンの回転数となるように前記吸気ファンを制御するファン制御手段と、
を備えることを特徴とする請求項２に記載の画像投影装置。
【請求項４】
前記被冷却対象物の温度と、前記被冷却対象物を冷却するために予め設定された前記吸気ファンの回転数とを対応づけて記憶する第１の記憶手段と、
前記吸気ファンの回転数と、前記吸気ファンの回転数における前記送風口の開口率とを対応づけて記憶する第２の記憶手段と、を備え、
前記ファン制御手段は、前記温度検出部により検出された温度に基づいて前記第１の記憶手段から回転数を抽出し、抽出した回転数に基づいて前記吸気ファンの回転を制御し、
前記開口率制御手段は、前記ファン制御手段により、前記第１の記憶手段から抽出された回転数に基づいて前記第２の記憶手段から開口率を抽出し、抽出した開口率に基づいて前記開口可変機構部を制御することを特徴とする請求項３に記載の画像投影装置。
【請求項５】
前記開口可変機構部は、前記送風口にヒンジを介して接続され、前記ヒンジを中心に回動する調整弁の回動角度により前記送風口の開口率を可変とし、
前記調整弁は、当該画像投影装置の上下方向に前記ヒンジを中心に回動し、
被冷却対象物が当該画像投影装置の本体部の上段部若しくは下段部に配置されていることを特徴とする請求項２〜４の何れか一項に記載の画像投影装置。
【請求項６】
光源ランプの周囲の空気を外部に排気することにより前記光源ランプを冷却する排気ファンを備えることを特徴とする請求項２〜５1の何れか一項に記載の画像投影装置。
【発明の詳細な説明】
【技術分野】
【０００１】
本発明は、画像投影装置に関する。
【背景技術】
【０００２】
従来、画像投影装置の冷却装置として、様々なものが知られている。例えば、吸気ファンを回転させることにより吸気を行い、吸気することにより発生させた冷却風を液晶パネル及び偏光板に当てることにより液晶パネル及び偏光板の冷却を行う冷却装置において、カメラの絞りのように、吸気ファンからの冷却風を供給する送風口の開口率を制御することにより、液晶パネル及び偏光板に当てる冷却風の風量のバランスを調整し、吸気ファンの回転数が上がるのを最小限に抑え、吸気ファンの騒音を低減するものが知られている（例えば、特許文献１）。
また、排気ファンを回転させて光源ランプの周囲の熱い空気を排気することにより光源ランプの冷却を行う冷却装置において、排気口の開口面積を調節することにより排気ファンの騒音を低減するとともに、排気効率を確保するものも知られている（例えば、特許文献２〜４）。
【特許文献１】特開２００４−１２７９６号公報
【特許文献２】特開２００４−２５８３０１号公報
【特許文献３】特開２００４−２３３７６９号公報
【特許文献４】特開平０９−３０４８３４号公報
【発明の開示】
【発明が解決しようとする課題】
【０００３】
ところで、冷却のためには所定の流速以上の冷却風が必要となるため、吸気ファンの回転数は所定回転数以下には下げることができず、電力消費を抑えることができないという問題があった。特許文献１の発明は、冷却風の風量を調節して騒音を低減するものであるため上記問題を解決することはできない。また、特許文献１の発明では、送風口の開口がカメラの絞りのように調整されるため、被冷却対象物に対して局所的にしか冷却風を当てることができず、十分に冷却することができない。また、特許文献２〜４の発明は、排気口の開口面積を調節するものであり、上記の問題を解決することができない。
【０００４】
本発明の課題は、消費電力を抑え、効率良く被冷却対象物を冷却できる画像投影装置を提供することである。
【課題を解決するための手段】
【０００５】
請求項１に記載の発明は、吸気口から吸気を行うことにより冷却風を発生させ、当該冷却風を送風口から被冷却対象物に当てることにより前記被冷却対象物を冷却する軸流ファンと、
前記送風口にヒンジを介して接続され、前記ヒンジを中心に回動する調整弁の回動角度により前記送風口の開口率を可変とする開口可変機構部と、
前記軸流ファンの回転数に基づいて、前記送風口から送風される冷却風の流速が予め設定された流速となるように前記開口可変機構部を制御して前記開口率を調整する開口率制御手段と、
前記被冷却対象物の温度を検出する温度検出部と、
前記温度検出部に検出された温度に基づいて、前記被冷却対象物を冷却するために予め設定された前記軸流ファンの回転数となるように前記軸流ファンを制御するファン制御手段と、
前記被冷却対象物の温度と、前記被冷却対象物を冷却するために予め設定された前記軸流ファンの回転数とを対応づけて記憶する第１の記憶手段と、
前記軸流ファンの回転数と、前記軸流ファンの回転数における前記送風口の開口率とを対応づけて記憶する第２の記憶手段と、を備え、
前記ファン制御手段は、前記温度検出部により検出された温度に基づいて前記第１の記憶手段から回転数を抽出し、抽出した回転数に基づいて前記軸流ファンの回転を制御し、
前記開口率制御手段は、前記ファン制御手段により、前記第１の記憶手段から抽出された回転数に基づいて前記第２の記憶手段から開口率を抽出し、抽出した開口率に基づいて前記開口可変機構部を制御し、
前記調整弁は、当該画像投影装置の上下方向に前記ヒンジを中心に回動し、
被冷却対象物が当該画像投影装置の本体部の上段部若しくは下段部に配置されていることを特徴としている。
【０００６】
請求項２に記載の発明は、吸気口から吸気を行うことにより冷却風を発生させ、当該冷却風を送風口から被冷却対象物に当てることにより前記被冷却対象物を冷却する吸気ファンと、
前記送風口の開口率を可変自在とする開口可変機構部と、
前記吸気ファンの回転数に基づいて、前記送風口から送風される冷却風の流速が予め設定された流速となるように前記開口可変機構部を制御して前記開口率を調整する開口率制御手段と、
を備えることを特徴としている。
【０００７】
請求項３に記載の発明は、請求項２記載の画像投影装置において、
前記被冷却対象物の温度を検出する温度検出部と、
前記温度検出部に検出された温度に基づいて、前記被冷却対象物を冷却するために予め設定された前記吸気ファンの回転数となるように前記吸気ファンを制御するファン制御手段と、
を備えることを特徴としている。
【０００８】
請求項４に記載の発明は、請求項３に記載の画像投影装置において、
前記被冷却対象物の温度と、前記被冷却対象物を冷却するために予め設定された前記吸気ファンの回転数とを対応づけて記憶する第１の記憶手段と、
前記吸気ファンの回転数と、前記吸気ファンの回転数における前記送風口の開口率とを対応づけて記憶する第２の記憶手段と、を備え、
前記ファン制御手段は、前記温度検出部により検出された温度に基づいて前記第１の記憶手段から回転数を抽出し、抽出した回転数に基づいて前記吸気ファンの回転を制御し、
前記開口率制御手段は、前記ファン制御手段により、前記第１の記憶手段から抽出された回転数に基づいて前記第２の記憶手段から開口率を抽出し、抽出した開口率に基づいて前記開口可変機構部を制御することを特徴としている。
【０００９】
請求項５に記載の発明は、請求項２〜４の何れか一項に記載の画像投影装置において、
前記開口可変機構部は、前記送風口にヒンジを介して接続され、前記ヒンジを中心に回動する調整弁の回動角度により前記送風口の開口率を可変とし、
前記調整弁は、当該画像投影装置の上下方向に前記ヒンジを中心に回動し、
被冷却対象物が当該画像投影装置の本体部の上段部若しくは下段部に配置されていることを特徴としている。
【００１０】
請求項６に記載の発明は、請求項２〜５の何れか一項に記載の画像投影装置において、
光源ランプの周囲の空気を外部に排気することにより光源ランプを冷却する排気ファンを備えることを特徴としている。
【発明の効果】
【００１１】
請求項１に記載の発明によれば、開口率制御手段により、軸流ファンの回転数に基づいて、送風口から送風される冷却風の流速が予め設定された流速となるように開口可変機構部が制御されて開口率が調整されるので、軸流ファンの回転数を下げても、冷却風の流速が予め設定された流速となるように送風口の開口率が調整されることとなって、冷却に必要な冷却風の流速を確保しつつ、軸流ファンの回転数を最小限に抑えることができ、消費電力を抑えることができる。また、消費電力を抑えることにより発熱を抑えることができ、効率良く被冷却対象物を冷却することができる。
また、ファン制御手段により、温度検出部に検出された温度に基づいて、被冷却対象物を冷却するために予め設定された軸流ファンの回転数となるように軸流ファンが制御されるので、被冷却対象物の温度に応じて軸流ファンの回転数及び送風口の開口率を調整でき、被冷却対象物の温度に応じて、消費電力を抑えるとともに、効率良く被冷却対象物を冷却することができる。
また、予め、第１の記憶手段及び第２の記憶手段に記憶された回転数及び開口率に基づいて軸流ファンの回転数及び送風口の開口率が制御されるので、より効率的に軸流ファンの回転数及び送風口の開口率を制御できる。
また、調整弁が当該画像投影装置の上下方向にヒンジを中心に回動することにより、冷却風を当該画像投影装置の本体部の上段部若しくは下段部に配置されている被冷却対象物に集中させることができ、当該被冷却対象物を効率良く冷却することができる。
【００１２】
請求項２に記載の発明によれば、開口率制御手段により、吸気ファンの回転数に基づいて、送風口から送風される冷却風の流速が予め設定された流速となるように開口可変機構部が制御されて開口率が調整されるので、吸気ファンの回転数を下げても、冷却風の流速が予め設定された流速となるように送風口の開口率が調整されることとなって、冷却に必要な冷却風の流速を確保しつつ、吸気ファンの回転数を最小限に抑えることができ、消費電力を抑えることができる。また、消費電力を抑えることにより発熱を抑えることができ、効率良く被冷却対象物を冷却することができる。
【００１３】
請求項３に記載の発明によれば、請求項２記載の発明と同様の効果が得られるのは勿論のこと、特に、ファン制御手段により、温度検出部に検出された温度に基づいて、被冷却対象物を冷却するために予め設定された吸気ファンの回転数となるように吸気ファンが制御されるので、被冷却対象物の温度に応じて吸気ファンの回転数及び送風口の開口率を調整でき、被冷却対象物の温度に応じて、消費電力を抑えるとともに、効率良く被冷却対象物を冷却することができる。
【００１４】
請求項４に記載の発明によれば、請求項３に記載の発明と同様の効果が得られるのは勿論のこと、特に、予め、第１の記憶手段及び第２の記憶手段に記憶された回転数及び開口率に基づいて吸気ファンの回転数及び送風口の開口率が制御されるので、より効率的に吸気ファンの回転数及び送風口の開口率を制御できる。
【００１５】
請求項５に記載の発明によれば、請求項２〜４の何れか一項に記載の発明と同様の効果が得られるのは勿論のこと、特に、調整弁が当該画像投影装置の上下方向にヒンジを中心に回動することにより、冷却風を当該画像投影装置の本体部の上段部若しくは下段部に配置されている被冷却対象物に集中させることができ、当該被冷却対象物を効率良く冷却することができる。
【００１６】
請求項６に記載の発明によれば、請求項２〜５の何れか一項に記載の発明と同様の効果が得られるのは勿論のこと、特に、排気ファンにより、光源ランプの周囲の空気が外部に排気され、光源ランプが冷却されるので、光源ランプの周囲の熱された空気が画像投影装置内部に留まるのを防ぐことができ、さらに効率的に画像投影装置内の冷却を行うことができる。
【発明を実施するための最良の形態】
【００１７】
以下、図を参照して、本発明に係る画像投影装置を実施するための最良の形態を詳細に説明する。本発明に係る画像投影装置としてプロジェクタを例示して説明する。
【００１８】
まず、本発明に係るプロジェクタ１００の構成について説明する。カバー１７を外した状態のプロジェクタ１００の斜視図を図１に示し、図１の矢印ＩＩ方向から見たプロジェクタ１００の要部の透視図を図２に示す。また、プロジェクタ１００の要部構成を示すブロック図を図３に示す。
プロジェクタ１００は、例えば、図１〜図３に示すように、光源ランプ１，カラーホイール（図示省略），ミラー２，ＤＭＤ（digital  micromirror  device）３，投影レンズ４，プリント基板５，ヒートシンク６，被冷却対象物としての電源回路７ａが配設された電源回路基板７及び信号回路基板８，吸気口９，排気口１０，吸気ファン１１，開口可変機構部１２，排気ファン１３，温度検出部としての温度センサ１４，制御部１５，これら各部を所定の位置に収容するフレーム１６，当該フレーム１６の上部を覆うカバー１７等を備えて構成される。
【００１９】
光源ランプ１は、例えば、メタルハライドランプ，超高圧水銀ランプ，白熱灯，ハロゲンランプ等の光源ランプであり、点灯することにより発熱する。
【００２０】
カラーホイール（図示省略）は、光源ランプ１からの投射光を、Ｒ（赤），Ｇ（緑），Ｂ（青）の何れかの単色光に切り換える回転式の分割カラーフィルタである。カラーホイールには、同期回路（図示しない）が接続されており、この同期回路によりカラーホイールは回転制御されるように構成されている。
【００２１】
ＤＭＤ３は、例えば、数十万〜数百万個のマイクロミラーが敷き詰められたＩＣ（Integrated  Circuit）を備えた略矩形の光学デバイスである。また、ＤＭＤ３には、画像情報出力回路（図示しない）及び同期回路（図示しない）を有するプリント基板５が接続されている。そして、ＤＭＤ３は、同期回路（図示しない）に制御されることによりカラーホイールの回転に同期して、画像情報出力回路（図示しない）から順次供給されるＲ，Ｇ，Ｂのいずれかの画像情報に基づく画像パターンを反射面上に形成し、各色光を変調するとともに投影レンズ４の方向へ反射する。
【００２２】
投影レンズ４は、ズームレンズ（図示省略）等を備えて構成され、ＤＭＤ３によって変調された光（光学像）をスクリーン（図示省略）に拡大投影する。
【００２３】
ヒートシンク６は、熱伝導性の高い金属等から形成された放熱板を多数層状に設けた金属板であって、プリント基板５等に密着させることにより、発熱のために誤作動するおそれのあるプリント基板５等の熱を空気中に放熱する。
【００２４】
電源回路基板７は、例えば、プロジェクタ１００を構成する各種電子機器に電力を供給する電源回路７ａ等を備え、電源回路７ａは、電力供給等により発熱する。
【００２５】
信号回路基板８は、例えば、プロジェクタ１００の各部を制御するための制御回路（図示省略）等を備えており、制御回路は、制御動作等により発熱する。また、信号回路基板８は、電源回路基板７の下側に配置されている。
【００２６】
吸気ファン１１は、例えば、軸流ファン等であり、平面矩形の枠体１８に支持されている。また、吸気ファン１１は、吸気口９と電源回路基板７及び信号回路基板８との間に設けられ、回転することにより吸気口９から吸気して冷却風を発生させ、当該冷却風を枠体１８の送風口１８ａから電源回路基板７及び信号回路基板８等に当てることにより、電源回路７ａ及び制御回路（図示省略）等を冷却する。
【００２７】
開口可変機構部１２は、例えば、枠体１８の送風口１８ａの上下に電源回路基板７及び信号回路基板８側に突出するようにヒンジ１２ａを介して接続され、当該ヒンジ１２ａを中心に回動する調整弁１２ｂ，１２ｂ等を備えて構成され、調整弁１２ｂの回動角度により、送風口１８ａの開口率を調整する。
そして、吸気ファン１１の回転数が高く、電源回路７ａと制御回路の両方を冷却する場合には、開口可変機構部１２は、例えば、図４（ａ）に示すように、上側の調整弁１２ｂを上向きに回動させ、送風口１８ａの開口が広くなるように制御する。また、例えば、電源回路７ａを集中して冷却する場合には、開口可変機構部１２は、図４（ｂ）に示すように、上下の調整弁１２ｂ，１２ｂをともに上側に向くように回動させ、吸気ファン１１からの冷却風が電源回路７ａに集中するように制御する。また、吸気ファン１１の回転数が低い場合には、開口可変機構部１２は、例えば、図４（ｃ）に示すように、上下の調整弁１２ｂ，１２ｂを内側へと回動させ、送風口１８ａの開口を狭くし、吸気ファン１１の回転数が抑えられても、冷却風が所定の流速以上となるように制御する。
【００２８】
排気ファン１３は、例えば、軸流ファンやシロッコファン等であり、光源ランプ１の側方に設けられ、回転して冷却風を光源ランプ１に当て、当該光源ランプ１の周囲の気体を排気口１０から外部へ排気し、光源ランプ１を冷却する。
【００２９】
温度センサ１４は、例えば、プロジェクタ１００内の所定の位置（例えば、電源回路基板７，信号回路基板８，光源ランプ１等の近傍）に設けられ、かかる位置での温度を検出する。
【００３０】
制御部１５は、例えば、ＩＣチップ等により構成され、プロジェクタ１００の各部を制御して、画像データに基づく画像をスクリーンに投影させるとともに、吸気ファン１１，調整弁１２ｂ，排気ファン１３等を制御して、光源ランプ１や電源回路７ａ，制御回路等の冷却を行わせる。制御部１５は、図３に示すように、ＣＰＵ（Central  Processing  Unit）１５１，ＲＡＭ（Random  Access  Memory）１５２，記憶部１５３等を備えて構成される。また、制御部１５は、吸気ファン１１，調整弁１２ｂ，排気ファン１３の各駆動部（図示省略）や温度センサ１４等と接続されている。
【００３１】
ＣＰＵ１５１は、記憶部１５３に格納された処理プログラム等を読み出して、ＲＡＭ１５２に展開して実行することにより、プロジェクタ１００全体の制御を行う。
【００３２】
ＲＡＭ１５２は、ＣＰＵ１５１により実行された処理プログラム等を、ＲＡＭ１５２内のプログラム格納領域に展開するとともに、入力データや上記処理プログラムが実行される際に生じる処理結果等をデータ格納領域に格納する。
【００３３】
記憶部１５３は、例えば、プログラムやデータ等が予め記憶されている記録媒体（図示せず）を有しており、この記録媒体は、半導体メモリ等で構成されている。また、記憶部１５３は、ＣＰＵ１５１がプロジェクタ１００全体を制御する機能を実現させるための各種データ，各種処理プログラム，これらプログラムの実行により処理されたデータ等を記憶する。より具体的には、記憶部１５３は、例えば、図３に示すように、温度・回転数データテーブル１５３Ａ，回転数・開口率データテーブル１５３Ｂ，吸気ファン制御プログラム１５３Ｃ，排気ファン制御プログラム１５３Ｄ，調整弁制御プログラム１５３Ｅ等を格納している。
【００３４】
温度・回転数データテーブル１５３Ａは、例えば、電源回路７ａ等の温度と、当該温度の電源回路７ａ等を冷却するために必要な吸気ファン１１の回転数とを対応づけて記憶している。電源回路７ａ等を冷却するために必要な吸気ファン１１の回転数は、予め設定されている。記憶部１５３は、温度・回転数データテーブル１５３Ａを格納することにより、第１の記憶手段として機能する。
【００３５】
回転数・開口率データテーブル１５３Ｂは、例えば、吸気ファン１１の回転数と、当該回転数で回転する吸気ファン１１の回転により発生する冷却風が電源回路７ａ等の目的とする部分に予め設定された流速以上の流速で到達するために必要な送風口１８ａの開口率とを対応づけて記憶している。ここで、送風口１８ａの開口率は、調整弁１２ｂの回動角度によって規定される。記憶部１５３は、回転数・開口率データテーブル１５３Ｂを格納することにより、第２の記憶手段として機能する。
【００３６】
吸気ファン制御プログラム１５３Ｃは、例えば、ＣＰＵ１５１に、温度センサ１４により検出された温度に基づいて温度・回転数データテーブル１５３Ａを検索して当該温度に対応する回転数を抽出し、当該回転数で回転するように吸気ファン１１を制御する機能を実現させるプログラムである。ＣＰＵ１５１は、かかる吸気ファン制御プログラム１５３Ｃを実行することにより、ファン制御手段として機能する。
【００３７】
排気ファン制御プログラム１５３Ｄは、例えば、ＣＰＵ１５１に、光源ランプ１の点灯に伴う温度上昇が温度センサ１４により検出された場合に、排気ファン１３を制御して所定速度で回転させる機能を実現させるプログラムである。
【００３８】
調整弁制御プログラム１５３Ｅは、例えば、ＣＰＵ１５１に、吸気ファン制御プログラム１５３Ｃを実行することにより抽出した回転数に基づいて回転数・開口率データテーブル１５３Ｂを検索し、当該回転数に対応する開口率を抽出し、抽出した開口率に基づいて開口可変機構部１２を制御する機能を実現させるプログラムである。より具体的には、調整弁制御プログラム１５３Ｅは、ＣＰＵ１５１に、吸気ファン制御プログラム１５３Ｃを実行することにより抽出した回転数に基づいて回転数・開口率データテーブル１５３Ｂを検索し、当該回転数に対応する開口率を抽出し、開口可変機構部１２を制御して、送風口１８ａの開口が抽出した開口率となるように調整弁１２ｂの回動角度を制御させる機能を実現させるプログラムである。ＣＰＵ１５１は、かかる調整弁制御プログラム１５３Ｅを実行することにより、開口率制御手段として機能する。
【００３９】
次に、上述のような構成のプロジェクタ１００の吸気ファン１１の制御動作について、図５に示すフローチャートを参照しながら説明する。
まず、温度センサ１４によりプロジェクタ１００内の所定位置での温度が検出され（ステップＳ１）、検出信号がＣＰＵ１５１に入力されると、ＣＰＵ１５１は、吸気ファン制御プログラム１５３Ｃを実行することにより、温度・回転数データテーブル１５３Ａを検索して、当該温度に対応する回転数を抽出する（ステップＳ２）。
【００４０】
次に、ＣＰＵ１５１は、吸気ファン制御プログラム１５３Ｃの実行に基づいて、ステップＳ２で抽出した回転数で回転するように吸気ファン１１を制御する（ステップＳ３）。
【００４１】
次に、ＣＰＵ１５１は、調整弁制御プログラム１５３Ｅを実行することにより、回転数・開口率データテーブル１５３Ｂを検索して、ステップＳ２で抽出した回転数に対応する開口率を抽出する（ステップＳ４）。
【００４２】
次に、ＣＰＵ１５１は、調整弁制御プログラム１５３Ｅの実行に基づいて、送風口１８ａの開口がステップＳ４で抽出した開口率となるように、開口可変機構部１２に調整弁１２ｂの回動角度を制御させ（ステップＳ５）、ステップＳ１に戻る。ここで、ＣＰＵ１５１がステップＳ１〜ステップＳ５までの処理を繰り返すことにより、吸気ファン１１及び調整弁１２ｂは、電源回路７ａ等の温度変化に対応してフィードバック制御されるようになっている。
【００４３】
以上に説明した、本発明に係るプロジェクタ１００によれば、ＣＰＵ１５１が調整弁制御プログラム１５３Ｅを実行することにより、吸気ファン１１の回転数に基づいて、送風口１８ａから送風される冷却風の流速が予め設定された流速となるように開口可変機構部１２が制御されて開口率が調整されるので、吸気ファン１１の回転数を下げても、冷却風の流速が予め設定された流速となるように送風口１８ａの開口率が調整されることとなって、冷却に必要な冷却風の流速を確保しつつ、吸気ファン１１の回転数を最小限に抑えることができ、消費電力を抑えることができる。また、消費電力を抑えることにより発熱を抑えることができ、効率良く電源回路７ａ等の被冷却対象物を冷却することができる。
【００４４】
また、ＣＰＵ１５１が吸気ファン制御プログラム１５３Ｃを実行することにより、温度センサ１４に検出された温度に基づいて、電源回路基板７等の被冷却対象物を冷却するために予め設定された吸気ファン１１の回転数となるように吸気ファン１１が制御されるので、被冷却対象物の温度に応じて吸気ファン１１の回転数及び送風口１８ａの開口率を調整でき、被冷却対象物の温度に応じて、消費電力を抑えるとともに、効率良く被冷却対象物を冷却することができる。
【００４５】
また、予め、温度・回転数データテーブル１５３Ａ及び回転数・開口率データテーブル１５３Ｂに記憶されている回転数及び開口率に基づいて吸気ファン１１の回転数及び送風口１８ａの開口率が制御されるので、より効率的に吸気ファン１１の回転数及び送風口１８ａの開口率を制御できる。
【００４６】
また、調整弁１２ｂが当該プロジェクタ１００の上下方向にヒンジ１２ａを中心に回動することにより、冷却風を当該プロジェクタ１００の本体部の上段部若しくは下段部に配置されている被冷却対象物に集中させることができ、当該被冷却対象物を効率良く冷却することができる。
【００４７】
また、排気ファン１３により、光源ランプ１の周囲の空気が外部に排気され、光源ランプ１が冷却されるので、光源ランプ１の周囲の熱された空気がプロジェクタ１００内部に留まるのを防ぐことができ、さらに効率的にプロジェクタ１００内の冷却を行うことができる。
【００４８】
なお、調整弁１２ｂは、送風口１８ａの上下に設けられることとしたが、送風口１８ａの左右に設けられてもよい。
また、開口可変機構部１２は、吸気ファン１１の回転により発生する冷却風が被冷却対象物に予め設定された流速以上の流速で到達するように送風口１８ａの開口率を制御するものであればなんであってもよい。
【図面の簡単な説明】
【００４９】
【図１】本発明に係るプロジェクタのカバーを外した状態の斜視図である。
【図２】図１の矢印ＩＩ方向から見たプロジェクタの要部の透視図である。
【図３】本発明に係るプロジェクタの要部構成を示すブロック図である。
【図４】本発明に係る送風口の開口の調整を説明する図である。
【図５】本発明に係るプロジェクタの吸気ファンの制御動作を説明するフローチャートである。
【符号の説明】
【００５０】
１  光源ランプ
７ａ  電源回路（被冷却対象物）
９  吸気口
１１  吸気ファン（軸流ファン）
１２  開口可変機構部
１２ａ  ヒンジ
１２ｂ  調整弁
１３  排気ファン
１４  温度センサ（温度検出部）
１５１  ＣＰＵ（ファン制御手段，開口率制御手段）
１５３  記憶部（第１の記憶手段，第２の記憶手段）
１５３Ａ  温度・回転数データテーブル（第１の記憶手段）
１５３Ｂ  回転数・開口率データテーブル（第２の記憶手段）
１５３Ｃ  吸気ファン制御プログラム（ファン制御手段）
１５３Ｅ  調整弁制御プログラム（開口率制御手段）
１８ａ  送風口
【図１】
2007178626.tif 000003
【図２】
2007178626.tif 000004
【図３】
2007178626.tif 000005
【図４】
2007178626.tif 000006
【図５】
2007178626.tif 000007